(57)【要約】【課題】ＡＭ放送電波による妨害を除去することで、通信スピードを改善するＡＤＳＬ通信用ノイズ除去フィルタを提供することにある。【解決手段】本発明のＡＤＳＬ通信用ノイズ除去フィルタは、電話回線又はスプリッタとＡＤＳＬモデムとの間の２線間に設けられたトラップ回路ＴＲＰを有している。このトラップ回路ＴＲＰにおけるトラップ周波数は、ＡＤＳＬ通信帯域内のＡＭ放送帯域にチューニングできるように構成されている。このトラップ回路ＴＲＰを設けることにより、通信スピードに大きな影響を与えるＡＭ放送電波を除去することができ、通信スピードを改善することができる。【選択図】　図１
2004064719.tif 000002
【特許請求の範囲】
【請求項１】
アナログ電話回線併用ＡＤＳＬ通信において、
電話回線又はスプリッタとＡＤＳＬモデムとの間の２線間に、ＡＤＳＬ帯域内のＡＭ放送周波数にトラップ周波数を合わせたトラップ回路を設けることを特徴とするＡＤＳＬ通信用ノイズ除去フィルタ。
【請求項２】
前記トラップ回路は、複数のＡＭ放送周波数にそれぞれトラップ周波数を合わせた複数のトラップ回路からなることを特徴とする請求項１記載のＡＤＳＬ通信用ノイズ除去フィルタ。
【発明の詳細な説明】
【０００１】
【発明の属する技術分野】
本発明は、アナログ電話回線併用ＡＤＳＬ（非対称デジタル加入者線）通信におけるノイズ除去フィルタに関するものである。
【０００２】
【従来の技術】
ＡＤＳＬ通信は、インターネットの全世界的利用によってもたらされた技術であり、近年急速に普及したものである。このＡＤＳＬ通信は、アナログ電話回線の併用として利用するものであり、ＩＴＵ・Ｔ、Ｇ９９２・１及びＧ９９２・２国際電気通信連合の勧告に、特に日本規格としてのＡｎｎｅｘＥとして示されているように、使用する周波数帯域はユーザー側上り下りの情報チャンネルで、２５ｋＨｚ〜１，１０４ｋＨｚに定められている。
【０００３】
このＡＤＳＬ通信においては、特に下りの高い周波数のチャンネルが電話局からの距離の影響を大きく受けて信号の減衰が大きくなる。このため、電話回線の局からの距離により通信情報量が減って、通信スピードが低下する。このように、ＡＤＳＬ通信は、その使用環境によって理論値と実際の通信スピードとの間に大きな差が生じるため、通信スピードに関する不満と関心を持っているユーザーが多い。そこで、市場には、少しでも通信スピードの低下を防ぐため、ノイズ除去用製品が多く出回っている。現在、市場にあるノイズ除去用製品は殆どリングコアに数ターン捲いたコモン・モード・トランスによるものであり、しかも短波帯以上でインピーダンスが高くなるように設定されていた。
【０００４】
【発明が解決しようとする課題】
上記従来技術は、短波帯以上におけるノイズの除去を行うように設定されていたが、この周波数帯域のノイズはＡＤＳＬ通信に影響を及ぼさないことが実証試験で確認されている。このため従来の製品ではノイズを取り除いてＡＤＳＬ通信の通信スピードを改善するには至っていなかった。
【０００５】
また、ＡＤＳＬ通信帯域内で発生するノイズに関して、ＡＤＳＬ通信帯域内の広い範囲にランダムに分布するノイズは簡単に取り除くことはできない。ところが、そのような広範囲にランダムに発生するノイズは、通信スピードに殆ど影響を与えることがない。これに対して、一定の周波数帯域に常時発生する放送電波は、ＡＤＳＬ通信における複数のチャンネルを長時間一度に使用不能にしてしまうため、通信スピードに非常に大きな影響を与えていた。
【０００６】
本発明は、上記従来技術の課題に鑑みると共に放送電波による影響に着目してなされたもので、ＡＭ放送電波による妨害を除去することで、通信スピードを改善するＡＤＳＬ通信用ノイズ除去フィルタを提供するものである。
【０００７】
【課題を解決するための手段】
本発明のＡＤＳＬ通信用ノイズ除去フィルタは、アナログ電話回線併用ＡＤＳＬ通信において、電話回線又はスプリッタとＡＤＳＬモデムとの間の２線間に、ＡＤＳＬ帯域内のＡＭ放送周波数にトラップ周波数を合わせたトラップ回路を設けてなるものである。このＡＤＳＬ通信用ノイズ除去フィルタにおける前記トラップ回路は、複数のＡＭ放送周波数にそれぞれトラップ周波数を合わせた複数のトラップ回路からなるものである。
【０００８】
【発明の実施の形態】
本発明のＡＤＳＬ通信用ノイズ除去フィルタにおいては、電話回線又はスプリッタとＡＤＳＬモデムとの間の２線間にトラップ回路を設けている。このトラップ回路はＬＣ共振回路からなり、そのトラップ周波数がＡＤＳＬ帯域内のＡＭ放送周波数に設定されている。このトラップ回路におけるトラップ周波数は、ＡＤＳＬ通信帯域内のＡＭ放送帯域にチューニングできるように構成されている。このトラップ回路を設けることにより、通信スピードに大きな影響を与えるＡＭ放送電波を除去することができ、通信スピードを改善することができる。また、トラップ回路を複数設け、そのトラップ周波数をそれぞれ複数のＡＭ放送の周波数に設定することで、複数のＡＭ放送電波もそれぞれトラップ回路で除去することができる。
【０００９】
【実施例】
以下図面に基づいて本発明の実施例を説明する。図１は本発明の一実施例に係るＡＤＳＬ通信用ノイズ除去フィルタの構成を示す回路図、図２はＡＤＳＬ通信における周波数帯域とチャンネルの状態をグラフ化した説明図、図３はＡＭ放送電波による影響の状態をグラフ化した説明図、図４は本発明のノイズ除去フィルタを使用した場合のＡＭ放送電波による影響の状態をグラフ化した説明図である。
【００１０】
図１に示すように、本実施例におけるＡＤＳＬ通信用ノイズ除去フィルタは、図中右側に接続されるアナログ電話回線（又はスプリッタからの入出力線）と図中左側に接続されるＡＤＳＬモデムとの間の２線Ｌ１，Ｌ２間にＬＣ直列共振回路からなるトラップ回路ＴＲＰを接続することにより構成されている。このトラップ回路ＴＲＰにおけるコンデンサＣは、可変コンデンサからなり、ユーザー等がトラップ周波数を可変することが出来るように構成されている。
【００１１】
アナログ電話回線のアナログ電話通話帯域内の伝送インピーダンスは、一般に６００Ωであり、ＡＤＳＬ通信帯域内の伝送インピーダンスＺ２は１００Ωに設定されている。また、ＡＤＳＬモデムの入力インピーダンスＺ１も、伝送インピーダンスＺ２にマッチングさせるため１００Ωに設定されている。従って、トラップ回路ＴＲＰに並列に１００Ωが負荷となることとＬＣのバランスを考慮し、Ｑを出来るだけ大きく設定しトラップの効果を上げるため、インダクタンスＬの直流抵抗を低くするように設定している。尚、Ｑ＝ωＬ／Ｒの関係がある。
【００１２】
図２に示す例においては、ＡＤＳＬ通信は２５．８７５ｋＨｚ〜１，１０４ｋＨｚの周波数帯域内に１チャンネルの幅が約４．３ｋＨｚで全チャンネル（「ピン」とも呼ばれる）数が２５６チャンネルとなるようにチャンネルＣｎが設けられ、ＡＭ・ＦＭ変調を行うことで１Ｈｚ当たりのｂｉｔ数を多く通信するものとなっている。また、設定されたチャンネルＣｎにおいて、２５．８７５ｋＨｚ〜１３８ｋＨｚまでの周波数を上り帯域Ｂ１として使用し、１３８ｋＨｚ〜１，１０４ＫＨｚまでの周波数を下り帯域Ｂ２として使用している。尚、この上り帯域Ｂ１と下り帯域Ｂ２の周波数は、勧告に基づいて設定しているに過ぎないため、様々な方式により設定が異なる場合がある。
【００１３】
このＡＤＳＬ通信においては、日本で既に利用されているＡｎｎｅｘＡ及びＡｎｎｅｘＣ方式の下り帯域Ｂ２の帯域内であるところの５２０ｋＨｚ〜１，１０４ｋＨｚの帯域Ｂ３がＡＭ放送と重なる帯域となる。ＡＭ放送電波は電話回線がアンテナとなってＡＤＳＬ通信に混信する。ＡＭ放送は一つのチャンネルの周波数帯域が１０ｋＨｚであり、ＡＤＳＬ通信の２チャンネル分に相当する。ところが、強電界地域においては、ＡＭ放送電波ＡＭの帯域幅が数倍に広がるため、図３に示すように、ＡＤＳＬ通信の複数のチャンネル、例えばチャンネルＣｎ１〜Ｃｎ７に影響を与えることになる。このように隣接する複数のチャンネルＣｎ１〜Ｃｎ７にＡＭ放送電波ＡＭが影響すると、その部分の情報を読み取ることができなくなる。その結果、読み取り出来ないチャンネルが閉鎖されて得られる情報量が減少することにより、情報読み取りスピードが低下し、通信スピードが著しく遅くなる。
【００１４】
このような強電界地域におけるＡＭ放送電波ＡＭによる影響が生じる場合に、図１に示す本実施例のフィルタを設け、コンデンサＣを可変することでトラップ周波数をこのＡＭ放送電波ＡＭの周波数に設定すると、図４に示すようになる。即ち、ＡＭ放送電波ＡＭ及びその広がった部分のほとんどを除去することができ、情報が読み取れずに閉鎖されるチャンネルを非常に少なくすることができる。このため、通信スピードを著しく改善することができる。
【００１５】
また、日本全国にあるＡＭ放送局の送信所が、一地域に集中している場合には、複数のＡＭ放送電波によってＡＤＳＬ通信が妨害されることがある。このような場合には、各ＡＭ放送の周波数にそれぞれトラップ周波数を合わせたトラップ回路を複数設けることにより、ＡＭ放送電波のほとんどを除去することができ、通信スピードを改善することができる。
【００１６】
【発明の効果】
本発明によれば、ＡＤＳＬ通信に大きく且つ長時間影響を与えるＡＭ放送電波を取り除くことができ、ＡＤＳＬ通信の通信スピードを改善することができる。
【００１７】
また、複数のＡＭ放送電波による通信障害が発生する場合でも、トラップ回路を増設するだけで改善することができ、極めて簡単に対処することができる。
【００１８】
更に、構造上はトラップ回路を２線間に増設するだけであるため、このトラップ回路をアダプタ化して着脱及び多数増設可能とすることにより、ユーザー自ら簡単に通信障害に対処することができる。
【図面の簡単な説明】
【図１】本発明の一実施例に係るＡＤＳＬ通信用ノイズ除去フィルタの構成を示す回路図である。
【図２】ＡＤＳＬ通信における周波数帯域とチャンネルの状態をグラフ化した説明図である。
【図３】ＡＭ放送電波による影響の状態をグラフ化した説明図である。
【図４】本発明のノイズ除去フィルタを使用した場合のＡＭ放送電波による影響の状態をグラフ化した説明図である。
【符号の説明】
ＴＲＰ　　　トラップ回路
Ｃｎ　　　　チャンネル
Ｂ１　　　　上り帯域
Ｂ２　　　　下り帯域
ＡＭ　　　　ＡＭ放送電波
【図１】
2004064719.tif 000003
【図２】
2004064719.tif 000004
【図３】
2004064719.tif 000005
【図４】
2004064719.tif 000006